(57)【要約】【課題】安価でありながら、柄の断面が略円形の竹刀であっても、安定的に竹刀を適切な形で把持することの出来る柄カバーの提供を目的とする。【解決手段】竹刀の柄部に装着して用いる柄カバーであって、当該竹刀の柄部を覆う本体と、当該本体の所定の位置の厚みを増加させる断面形状調整部材を備えたことを特徴とする柄カバーを採用する。特に、当該柄カバーは、当該断面形状調整部材が、寸法が異なる複数の厚さ調整部材を有し、当該本体の外面又は内面に、サイズの大きなものから順に当該厚さ調整部材を積層することで、低価格化を実現しながらも誰もが安定的に竹刀を適切な形で把持出来るようになる。【選択図】図３
2018114023.tif 000002
【特許請求の範囲】
【請求項１】
竹刀の柄部に装着して用いる柄カバーであって、
当該竹刀の柄部を覆う本体と、当該本体の所定の位置の厚みを増加させる断面形状調整部材を備えたことを特徴とする柄カバー。
【請求項２】
前記断面形状調整部材は、前記本体の外面に備えた請求項１に記載の柄カバー。
【請求項３】
前記断面形状調整部材は、前記本体の内面に備えた請求項１に記載の柄カバー。
【請求項４】
前記断面形状調整部材は、寸法が異なる複数の厚さ調整部材を有し、前記本体の表面に、サイズの大きなものから順に当該厚さ調整部材を積層したものである請求項１〜請求項３のいずれかに記載の柄カバー。
【請求項５】
前記断面形状調整部材は、滑り止め手段を備えた請求項１〜請求項４のいずれかに記載の柄カバー。
【発明の詳細な説明】
【技術分野】
【０００１】
本件出願に係る発明は、剣道用竹刀の柄カバーに関する。
【背景技術】
【０００２】
剣道用の竹刀は、一般的に、丸竹を縦に割った竹片を４枚合わせ、その中央付近を中じめ革で束ね、先端に先革を嵌め、基部に革製の柄を嵌めるようにした構造となっている。そして、当該竹刀は、剣先の先革から柄までに一本の弦を張り、弦が張られた側を棟（又は峰）、その反対側を刃に見立てている。
【０００３】
ここで、剣道用の竹刀は、加工性の面から、柄の断面が略円形となるものが主流となっている。しかしながら、柄の断面が略円形の竹刀は、打突の際に持ち手（小手）の中で柄が滑り回転し易い。竹刀は構成する竹片が全て略同形状同色であるため、棟側に張られた弦の位置が確認出来ないと、当該竹刀を適切な形で把持しているか否かの確認が出来なくなる。そのため、特に剣道の初心者には、竹刀の適切な部位（刃に見立てている部位）で安定的に打ち込むことが困難となっていた。一般に、剣道の試合では、竹刀の適切な部位にて打突がなされなければ「一本」の判定はなされない（全日本剣道連盟の剣道試合審判規則第１２条、第１３条を参照のこと。）。また、竹刀は、適切な部位で打ち込まないと、竹刀に不必要な負荷がかかり破損し易い。
【０００４】
上述した問題に対し、柄の断面を楕円形（小判型）とした竹刀がある（非特許文献１の第４４〜４５頁を参照のこと。）。このような小判型の竹刀によれば、竹刀を適切な形で把持しているか否かの確認が容易となり、また、柄の正確な握りを習得し易くなる。従って、この小判型の竹刀によれば、竹刀の適切な部位にて安定して打ち込むことが可能となる。
【先行技術文献】
【非特許文献】
【０００５】
【非特許文献１】武道具総合カタログ２０１６  株式会社三恵  第４４〜４５頁
【発明の概要】
【発明が解決しようとする課題】
【０００６】
しかし、この小判型の竹刀は、高い加工技術が求められ、加工コストが増大する。また、小判型の竹刀は、竹片４枚を合わせた状態で断面が楕円形となるように切削加工を施すため、一部の竹片が破損した場合でも破損した竹片のみの交換が出来ず、経済的ではない。
【０００７】
本件発明は、このような従来の問題点に着目してなされたものであり、安価でありながら、柄の断面が略円形の竹刀であっても、安定的に竹刀を適切な形で把持することの出来る柄カバーの提供を目的とする。
【課題を解決するための手段】
【０００８】
そこで、本件発明者等は、鋭意研究を行った結果、以下に述べる柄カバーを採用することで、上記課題を解決することに想到した。
【０００９】
本件発明に係る柄カバーは、竹刀の柄部に装着して用いる柄カバーであって、当該竹刀の柄部を覆う本体と、当該本体の所定の位置の厚みを増加させる断面形状調整部材を備えたことを特徴とする。
【００１０】
本件発明に係る柄カバーにおいて、前記断面形状調整部材は、前記本体の外面に備えたことが好ましい。
【００１１】
本件発明に係る柄カバーにおいて、前記断面形状調整部材は、前記本体の内面に備えたことが好ましい。
【００１２】
本件発明に係る柄カバーにおいて、前記断面形状調整部材は、寸法が異なる複数の厚さ調整部材を有し、前記本体の表面に、サイズの大きなものから順に当該厚さ調整部材を積層したものであることが好ましい。
【００１３】
本件発明に係る柄カバーにおいて、前記断面形状調整部材は、滑り止め手段を備えたことが好ましい。
【発明の効果】
【００１４】
本件発明に係る柄カバーによれば、竹刀の柄の形状を問わず、誰もが安定的に竹刀を適切な形で把持することが可能となる。また、本件発明に係る柄カバーは、簡易な構造であることから、低価格化を実現出来る。よって、本件発明に係る柄カバーによれば、使用者を選ばず正しい竹刀の握りを習得でき、誰もが適切な部位にて打ち込みを行うことが出来る。更に、本件発明に係る柄カバーを用いることで、竹刀を適切な形で把持することが出来るため、打ち込みの際に竹刀に不必要な負荷が加わらず、当該竹刀の耐久性を向上させることが出来る。
【図面の簡単な説明】
【００１５】
【図１】本件発明に係る柄カバーを装着する前の竹刀の概略図である。
【図２】本件発明に係る柄カバーの一実施形態を示す断面図である。
【図３】本件発明に係る柄カバーの別の実施形態を示す断面図である。
【図４】（ａ）は図２又は図３に示す柄カバーの展開図であり、（ｂ）はその断面図である。
【発明を実施するための形態】
【００１６】
以下に、本件発明に係る柄カバーの実施の形態について図を用いて示しながら説明する。
【００１７】
図１は、本件発明に係る柄カバーを装着する前の竹刀の概略図である。一般的に普及されている竹刀１０は、４枚の竹片が周方向に組み合わされて細長い筒状に形成された竹刀本体１１を備え、竹刀本体１１は刀身部１２と柄部１３とを有している。刀身部１２は、先端に先革１４が嵌められ、中央付近が中しめ革１５で束ねられて構成されている。また、柄部１３は、柄革１７が被覆されると共に、鍔１８が挿通されてその鍔１８が鍔止１９により固定される。また、竹刀本体１１は、刀身部１２の先端部から柄部１３までの間に一本の弦１６が張られ、弦１６が張られた側を棟（又は峰）、その反対側を刃に見立てている。
【００１８】
剣道の竹刀１０は、上述したように、加工性の面から、持ち手となる柄部１３の断面が略円形となっているものが主流となっている。また、竹刀１０の柄部１３には柄革１７と称されるカバーが装着されるが、この柄革１７は使い込むに従い汗等を吸い込み表面が硬化して滑らかになるため、柄部１３が持ち手（小手）の中で滑り回転し易くなる傾向が生じる。よって、特に初心者がこのような柄部１３の断面が略円形となる竹刀１０を用いると、握りが安定せず滑りが生じ易いため、正確な打ち込みを行うことが困難となる。しかし、以下に示す本件発明に係る柄カバー１をこの竹刀１０の柄部１３に装着することで、このような問題も生じない。ここで、本件発明に係る柄カバーを竹刀１０の柄部１３に装着するに際しては、柄革１７の上に直接装着させても良い。
【００１９】
図２は、本件発明に係る柄カバーの一実施形態を示す断面図である。また、図３は、本件発明に係る柄カバーの別の実施形態を示す断面図である。
【００２０】
本件発明に係る柄カバー１は、竹刀１０の柄部１３に装着して用いる竹刀１０の柄カバーであって、当該竹刀１０の柄部１３を覆う本体２と、当該本体２の所定の位置の厚みを増加させる断面形状調整部材３を備えたことを特徴とする。
【００２１】
本件発明における本体２は、竹刀１０の柄部１３の一部又は全部を覆うものであって、その材質、大きさ、及び形状に関しては問わない。
【００２２】
また、本件発明における断面形状調整部材３は、柄カバー１の所定の位置を隆起させるための部材であって、その材質、大きさ、及び形状に関しては問わない。本件発明における断面形状調整部材３は、寸法が異なる複数の厚さ調整部材（図２及び図３における符号３ａ，３ｂ，３ｃ，３ｄ）を有し、本体２の表面に、サイズの大きなものから順に当該厚さ調整部材３ａ〜３ｄを積層したものであっても良い。ここで、厚さ調整部材３ａ〜３ｄの積層に関しては、特に限定されず、例えば縫合糸で縫い付けたり、接着剤を用いて固着する等の方法を採用することが出来る。また、断面形状調整部材３は、これら厚さ調整部材３ａ〜３ｄを積層した形状と略同一形状に形成された生地や合成樹脂等の部材とすることも出来る。更に、断面形状調整部材３は、上述した本体２と同一体とすることも出来る。
【００２３】
本件発明に係る柄カバー１は、断面形状調整部材３を備えることで所定の位置の厚みを適宜増加させることが出来るため、柄部１３の断面が略円形の場合でも柄カバー１を装着した竹刀１０の柄部１３の断面を略楕円形にすることが出来る。従って、本件発明に係る柄カバー１によれば、柄部１３の断面が略円形の竹刀１０に対して用いた場合でも、安定的に竹刀１０を適切な形で把持することが可能となる。柄部１３の断面が略円形の竹刀１０は、部品交換が可能であることから、一部の竹片が破損した場合でも破損した竹片のみの交換を行うことができ、経済的である。
【００２４】
また、本件発明に係る柄カバー１は、断面形状調整部材３を備えることで所定の位置の厚みを適宜増加させることが出来るため、様々な柄部１３の形状（断面形状、太さ）に対応することが出来る。例えば、本件発明に係る柄カバー１は、断面が略円形のみならず楕円形や多角形の等の柄部１３に対しても対応することが出来る。竹刀１０の柄部１３は、断面が楕円形であっても、使用者によって手の大きさや形が異なることから、更なる調整を施さないと竹刀１０を適切な形で把持することが出来ない場合がある。しかし、本件発明に係る柄カバー１によれば、柄部１３の元の形状を問わずに、柄部１３を使用者が望む形状に変化させることが出来るため、このような問題は生じない。
【００２５】
ここで、本件発明に係る柄カバー１において、断面形状調整部材３は、本体２の外面に備えたことが好ましい（図２を参照のこと。）。断面形状調整部材３が本体２の外面に備わる場合には、竹刀１０の柄カバー１において隆起させる位置をより細かく設定することが出来る。そのため、例えば、柄カバー１において、指の配置位置が窪むように断面形状調整部材３を備えることで、初心者が正しい竹刀の握り方を習得することが出来る。
【００２６】
また、本件発明に係る柄カバー１において、断面形状調整部材３は、本体２の内面に備えることも好ましい（図３を参照のこと。）。断面形状調整部材３が本体２の内面に備わる場合には、竹刀１０の柄カバー１の耐久性を向上させると共に、見栄えをより向上させることが出来る。
【００２７】
そして、本件発明に係る柄カバー１において、断面形状調整部材３は、その外表面に滑り止め手段を備えたことが好ましい。ここで、滑り止め手段は、接触するものとの摩擦力を大きくするものであれば良く、例えばゴム系やシリコン系の塗料、接着剤、生地等を用いることが出来る。本件発明に係る柄カバー１は、断面形状調整部材３の外表面に滑り止め手段を備えることで、例えば、断面形状調整部材３が本体２の外面に備わる場合には握り手の滑り止めの効果を効果的に高めることが出来る。また、例えば、断面形状調整部材３が本体２の内面に備わる場合には、竹刀１０の柄部１３に対する柄カバー１の滑り止めの効果を効果的に高めることが出来る。
【００２８】
以上に、本件発明に係る柄カバー１を竹刀１０の柄部１３に装着する例を説明したが、当該柄カバー１は、竹刀１０の柄部１３の長手方向に沿って短冊状の断面形状調整部材３を備えることで、安定的に竹刀１０を適切な形で把持することが出来る。参考までに、竹刀１０の柄革１７は、一般的に、短冊状の革の長辺同士を縫合して有底筒状に製作されるが、本件発明に係る柄カバー１も同様の方法で製作することが出来る。
【００２９】
図４（ａ）は図１又は図２に示す竹刀の柄カバーの展開図であり、図４（ｂ）はその断面図である。本件発明に係る柄カバー１は、短冊状の本体２の長辺同士を縫合して有底筒状に製作する場合、図４（ａ）に示す如く本体２の短辺の中央位置で且つ本体２の長辺の端部付近を結ぶ位置に、断面形状調整部材３を備えることが出来る。このときに、断面形状調整部材３は、図４（ｂ）に示す如く本体２の短辺の中央位置が最も高くなると共に、短辺の端部に向かって等間隔で厚さが小さくなるように短冊状の厚さ調整部材３ａ〜３ｄを備えることで、略直線状の竹刀１０の柄部１３のどの位置で握っても、左右の手の拇指球が常に竹刀１０の柄部１３の上側に配置され、且つ左右の手の人差し指の中節骨付近から小指の基節骨付近の領域が常に竹刀１０の柄部１３の下側に配置されることとなる。その結果、このようにして製作された竹刀１０の柄カバー１は、柄部１３の断面が楕円形（小判型）の高価な竹刀と同等以上の握り心地を得ることが出来る。
【００３０】
ここで、略直線状の竹刀１０の柄部１３に用いる柄カバー１は、当該竹刀１０の柄部１３に装着したときに、外周断面のアスペクト比（断面でみたときに、最大径をＸとし、この最大径Ｘに対して垂直方向の最大径をＹとしたときの比率Ｙ／Ｘ（図２及び図３を参照のこと。））が０．６〜０．９となるように断面形状調整部材３の厚さを調整することで、万人が竹刀を適切な形で把持出来る。また、当該比率Ｙ／Ｘは、０．８〜０．９とすることがより好ましい。
【産業上の利用可能性】
【００３１】
本件発明に係る竹刀の柄カバーによれば、誰もが安定的に竹刀を適切な形で把持出来るようになる。従って、本件発明に係る竹刀の柄カバーによれば、使用者のレベルを問わず、正確な打ち込みを行うことが可能となる。また、本件発明に係る竹刀の柄カバーは、簡易な構造であることから、低価格化を実現出来るため、初心者にも好適である。
【符号の説明】
【００３２】
１    柄カバー
２    本体（柄カバー）
３    断面形状調整部材
３ａ〜３ｄ  厚さ調整部材
１０  竹刀
１１  竹刀本体
１２  刀身部
１３  柄部
１４  先革
１５  中しめ革
１６  弦
１７  柄革
１８  鍔
１９  鍔止
【図１】
2018114023.tif 000003
【図２】
2018114023.tif 000004
【図３】
2018114023.tif 000005
【図４】
2018114023.tif 000006